(57)【要約】【課題】風向調整板などの可動部を手動で動作可能で、可動部の停止位置を保持することが可能な展示用空気調和機における可動部の停止位置保持装置を提供する。【解決手段】可動部の回転軸に取り付けられ、可動部と一体的に回転する軸部品１０と、軸部品１０の回転停止位置を段階的に保持する取付保持部品２０とを備え、軸部品１０は、軸部１１と軸部１１の外周に一体的に設けられた多角形部分１２とを有し、取付保持部品２０は、一対の保持片２２ａと連結片２２ｂを備えて断面コ字状を成す弾性押圧部２２を有し、弾性押圧部２２の一対の保持片２２ａで多角形部分１２をその外周両側から弾性的に押圧し、多角形部分１２において相対向する平面部１２ａが一対の保持片２２ａ間に位置した状態を回転停止位置として保持する。【選択図】図１
2009041839.tif 000002
【特許請求の範囲】
【請求項１】
空気調和機の室内機に設けられた可動部に接続して使用され、前記可動部が外力によって回転軸を中心に回転したときにその回転停止位置を保持する、空気調和機における可動部の停止位置保持装置であって、
前記可動部の回転軸に取り付けられ、前記可動部と一体的に回転する軸部品と、前記軸部品の回転停止位置を段階的に保持する保持部品とを備え、
前記軸部品は、軸部と該軸部の外周に一体的に設けられた多角形部分とを有し、
前記保持部品は、前記軸部品を回転可能に支持する台座部と、一対の保持片及び該一対の保持片を連結する連結片を備えて断面コ字状を成し、前記一対の保持片で前記多角形部分をその外周両側から弾性的に押圧する弾性押圧部とを有し、
前記可動部が外力によって回転すると、その回転に連動して前記軸部品の前記多角形部分も前記弾性押圧部の弾性力に抗って回転し、前記多角形部分において相対向する平面部が前記一対の保持片間に位置したとき、前記保持部品は、その位置を回転停止位置として保持することを特徴とする停止位置保持装置。
【請求項２】
前記一対の保持片のそれぞれに一端が接続され、他端に押圧部材が接続された一対の圧縮バネを備え、該圧縮バネの弾性力により、前記多角形部分をその外周平面部の両側から前記押圧部材で押圧するようにしたことを特徴とする請求項１記載の停止位置保持装置。
【請求項３】
空気調和機の室内機に設けられた可動部に接続して使用され、前記可動部が外力によって回転軸を中心に回転したときにその回転停止位置を保持する、空気調和機における可動部の停止位置保持装置であって、
前記可動部の回転軸に取り付けられ、前記可動部と一体的に回転する軸部品と、前記軸部品の回転停止位置を段階的に保持する保持部品とを備え、
前記軸部品は、軸部と該軸部の外周に一体的に設けられた多角形部分とを有し、
前記保持部品は、前記軸部品の前記軸部が挿通され、前記軸部品を回転可能に支持する台座部と、前記多角形部分の外周平面部をその外周平面部に垂直な一方向から弾性的に押圧する弾性押圧部とを備え、
前記可動部が外力によって回転すると、その回転に連動して前記軸部品の前記多角形部分も前記弾性押圧部の弾性力に抗って回転し、前記多角形部分の複数の外周平面部が前記弾性押圧部と対向する位置に位置したとき、前記保持部品は、その位置を回転停止位置として保持することを特徴とする停止位置保持装置。
【請求項４】
空気調和機の室内機に設けられた可動部に接続して使用され、前記可動部が外力によって回転軸を中心に回転したときにその回転停止位置を保持する、空気調和機における可動部の停止位置保持装置であって、
前記可動部の回転軸に取り付けられ、前記可動部と一体的に回転する軸部品と、前記軸部品の回転停止位置を段階的に保持する保持部品とを備え、
前記軸部品は、前記可動部の回転軸に取り付けられる軸部と該軸部の一方の端部に設けられた頭部とを有し、
前記保持部品は、前記軸部品の前記軸部が挿通され、前記軸部品を回転可能に支持する台座部と、前記頭部を前記台座部に押しつける方向に弾性的に押圧する弾性押圧部とを備え、前記台座部には、前記軸部品の前記頭部の下面に周方向に間隔を空けて設けられた複数の係止部に係合する複数の係合部が設けられており、
前記可動部が外力によって回転すると、前記係止部と前記係合部との係合が一旦外れて前記軸部品も前記弾性力に抗って回転し、前記保持部品は、前記係止部と前記係合部とが再び係合したとき、その位置を回転停止位置として保持することを特徴とする停止位置保持装置。
【請求項５】
前記軸部品は、３６０度回転可能であることを特徴とする請求項１乃至請求項４の何れかに記載の停止位置保持装置。
【請求項６】
前記軸部品の前記軸部において前記可動部の回転軸に取り付けられる部分は、前記可動部を駆動するためのモータの取付部分と同一形状に形成されていることを特徴とする請求項１乃至請求項５の何れかに記載の停止位置保持装置。
【請求項７】
前記台座部と弾性押圧部とは、単一の一体部品として形成されていることを特徴とする請求項１乃至請求項６の何れかに記載の停止位置保持装置。
【請求項８】
前記弾性押圧部を板バネ、圧縮バネ、線バネの何れかを使用して構成することを特徴とする請求項１乃至請求項７の何れかに記載の停止位置保持装置。
【発明の詳細な説明】
【技術分野】
【０００１】
この発明は、空気調和機の室内機における風向調整板などの可動部の停止位置を保持する停止位置保持装置に関するものである。
【背景技術】
【０００２】
従来、展示用の空気調和機の室内機において、風向調整板などの可動部には、実機で使用している駆動モーターが接続されていた（例えば、特許文献１参照）。そして、例えば展示会場等で、室内機の風向調整板の動作の様子を再現しようとした場合、駆動モーターを駆動することで対応していた。
【０００３】
【特許文献１】特開平１０−２７４４３２号公報
【発明の開示】
【発明が解決しようとする課題】
【０００４】
しかしながら、展示用空気調和機に対し、実機で使用している駆動モーターを取り付けるとコスト高となるため、モーターを使用せずに風向調整板などの可動部の動作の様子を再現したいという要望があった。
【０００５】
本発明はこのような点に鑑みなされたもので、風向調整板などの可動部を手動で動作可能で、可動部の停止位置を保持することが可能な、空気調和機における可動部の停止位置保持装置を提供することを目的とする。
【課題を解決するための手段】
【０００６】
この発明に係る停止位置保持装置は、空気調和機の室内機に設けられた可動部に接続して使用され、可動部が外力によって回転軸を中心に回転したときにその回転停止位置を保持する、空気調和機における可動部の停止位置保持装置であって、可動部の回転軸に取り付けられ、可動部と一体的に回転する軸部品と、軸部品の回転停止位置を段階的に保持する保持部品とを備え、軸部品は、軸部と軸部の外周に一体的に設けられた多角形部分とを有し、保持部品は、軸部品を回転可能に支持する台座部と、一対の保持片及び一対の保持片を連結する連結片を備えて断面コ字状を成し、一対の保持片で多角形部分をその外周両側から弾性的に押圧する弾性押圧部とを有し、可動部が外力によって回転すると、その回転に連動して軸部品の多角形部分も弾性押圧部の弾性力に抗って回転し、多角形部分において相対向する平面部が一対の保持片間に位置したとき、保持部品は、その位置を回転停止位置として保持するものである。
【発明の効果】
【０００７】
この発明によれば、可動部の回転軸に取り付けられ、可動部と一体的に回転する軸部品と、軸部品の回転停止位置を段階的に保持する保持部品とを備え、軸部品の回転を保持部品の弾性押圧部によって弾性的に規制するようにしたので、可動部が手動で回転移動された際に、その回転停止位置を弾性押圧部の弾性力によって保持することが可能である。また、弾性押圧部によって押圧される部分を多角形状としたので、回転停止位置を段階的に保持することが可能である。
【発明を実施するための最良の形態】
【０００８】
以下、この発明の停止位置保持装置について説明する。ここでは、空気調和機の室内機の風向調整板に接続された場合を例に説明する。
【０００９】
実施の形態１．
図１は、この発明の実施の形態１における停止位置保持装置の斜視図、図２は、図１の多角形部分の平面図である。
停止位置保持装置１は、可動部としての風向調整板の回転軸に取り付けられる軸部品１０と、軸部品１０の回転停止位置を段階的に保持するとともに、停止位置保持装置１全体を室内機に取り付けるための取付保持部品２０とから構成されている。
【００１０】
軸部品１０は、軸部１１と、軸部１１の外周に一体的に設けられ、平面形状が多角形状を成す多角形部分１２とから構成されている。この軸部品１０は、軸部１１の一端が、可動部の回転軸に取り付けられる接続部１１ａとなっており、他端が取付保持部品２０の貫通穴２６に回転可能に係止される係止部１３となっている。軸部品１０は、係止部１３の先端頭部１３ａが取付保持部品２０の貫通穴２６から突出することで、取付保持部品２０に対して回転可能に係止されている。なお、多角形部分１２は、本例では六角形で構成されているが、これに限られたものではない。また、接続部１１ａは、実機（室内機）の可動部に取り付けられるモーターの軸形状と同一形状に形成されている。
【００１１】
取付保持部品２０は、停止位置保持装置１を室内機に取り付けるとともに、軸部品１０を回転可能に支持するための平面状の台座部２１と、断面コ字状で弾性変形可能な弾性押圧部２２と、台座部２１と弾性押圧部２２とを連結する連結部２３とが一体的に形成された構成となっている。台座部２１は、その一部が切り欠かれた切欠部２４を有し、その切欠部２４に軸部品１０の溝部１４が回転可能に係止されている。
【００１２】
弾性押圧部２２は、相対向する一対の保持片２２ａと、一対の保持片２２ａを連結する連結片２２ｂとで断面コ字状を成し、一対の保持片２２ａで多角形部分１２をその外周両側から弾性的に押圧しており、多角形部分１２において相対向する平面部１２ａが一対の保持片２２ａ間に位置した状態を回転停止位置として保持するものである。
【００１３】
図３は、軸部品の回転停止位置が弾性押圧部によって保持された状態を示している。すなわち、多角形部分１２の相対向する平面部１２ａが弾性押圧部２２の一対の保持片２２ａ間に位置している。そして、この位置に停止した軸部品１０に対し、回転する力が作用すると、図４に示すように、多角形部分１２の相対向する角部１２ｂによって一対の保持片２２ａを弾性変形させて押し広げる。そして、更に回転すると、多角形部分１２の次の相対向する平面部１２ａが一対の保持片２２ａ間に位置し、その位置に軸部１１の回転停止位置が保持される。このように、多角形部分１２の相対向する平面部１２ａが一対の保持片２２ａ間に位置する度に、その位置が回転停止位置として保持され、軸部品１０の回転停止位置を段階的に保持することが可能となっている。
【００１４】
図５は、図１の停止位置保持装置が適用される空気調和機の室内機の外観図である。
室内機１００には、停止位置保持装置が適用される可動部として、室内に送風する風向きを調整する風向調整板１１０と、図示左右方向に回転可能に取り付けられ、例えば空間内を撮影する可動センサ１２０と、室内機の筐体内に風を取り込むために開閉する可動パネル１３０が設けられている。
【００１５】
以下では、図１の停止位置保持装置を、室内機の風向調整板に適用する場合について詳細に説明する。
【００１６】
図６は、図１の停止位置保持装置の風向調整板への取付を示す取付分解斜視図である。図６において、可動センサや可動パネル等については取り外し、説明に必要な箇所のみを図示している。
まず、風向調整板１１０の回転軸１１１を、室内機筐体の取付面１１２に設けられた貫通穴１１３に挿通する。そして、回転軸１１１の端部の凹部１１１ａ内に、停止位置保持装置１の軸部品１０の接続部１１ａを挿入して嵌合固定する。そして、取付面１１２に突出して設けられた取付凸部１１５に、取付保持部品２０の台座部２１の挿通孔２５を介して取付ピン１１４を固定する。これにより、停止位置保持装置１が風向調整板１１０に接続される。
【００１７】
以下、風向調整板１１０に取り付けられた停止位置保持装置１の動作について説明する。
風向調整板１１０が例えば開いた状態から閉じる方向に手動で押し上げられると、風向調整板の回転軸１１１は、図６の矢印Ａ方向に回転する。すると、回転軸１１１に接続された停止位置保持装置１の軸部品１０も一体的に回転する。これにより停止位置保持装置１の多角形部分１２も回転し、一対の保持片２２ａ間に保持された状態から、一対の保持片２２ａの弾性力に抗って回転する。そして、更に回転すると、多角形部分１２において次の相対向する平面部１２ａが一対の保持片２２ａ間に位置し、その位置が回転停止位置として保持される。
【００１８】
このように、この実施の形態１によれば、風向調整板１１０の回転軸１１１に接続される軸部品１０の回転を、弾性押圧部２２によって弾性的に規制するようにしたので、風向調整板１１０が手動で回転移動された際に、その回転停止位置を弾性押圧部２２の弾性力によって保持することが可能である。また、弾性押圧部２２によって押圧される部品を多角形状としたので、回転停止位置を段階的に保持することが可能である。このように、風向調整板１１０を手動で直接操作して任意の位置に停止させることが可能となるため、実際の実機の運転時にどのような状態になるのかを提示できる。また、従来のように、風向調整板１１０を駆動させるための駆動モーターを不要とできるため、コスト削減が可能となる。
【００１９】
なお、風向調整板１１０の回転軸１１１には、風向調整板１１０の自重により風向調整板１１０の自由端側が下がる方向、すなわち、室内機の吹出口を開放する方向の回転力が作用している。よって、この自重による回転力によって停止位置保持装置１の軸部品１０が回転して吹出口を開放してしまうことのないように、多角形部分１２と弾性押圧部２２との間に作用する弾性力が設定され、その自重による回転を規制している。これにより、風向調整板１１０を確実に閉じた状態を保持することができ、見栄えの良い展示モデル用空気調和機を得ることができる。
【００２０】
また、軸部品１０は３６０度回転可能であるため、回転停止位置を任意に調整できる。
【００２１】
また、軸部品１０の接続部１１ａの形状を、実機で使用しているモーターの軸部と同一形状としているため、停止位置保持装置１を使用するにあたり、実機として生産した空気調和機を、そのまま展示用として用いることができる。
【００２２】
また、停止位置保持装置１を、実機で使用しているモーターの大きさに収まるように設計すれば、モーターの設置スペース部分に、停止位置保持装置１を取り付けることができる。
【００２３】
また、多角形部分１２を弾性的に支持する断面コ字状の弾性押圧部２２と、停止位置保持装置を室内機に取り付けるための取付部分（台座部２１）とが単一の一体部品として形成されているので、これらを別体で構成した場合に、これらをそれぞれ取り付けるために必要となる取付手段が不要であり、全体の小型化が可能である。また、これらを別体で構成する場合に比べて、停止位置保持装置１の組立が簡単である。停止位置保持装置１を室内機に取り付けるに際しては、単に軸部品１０の軸部１１を台座部２１の切欠部２４に係止させるとともに、係止部１３の頭部１３ａを取付保持部品２０の貫通穴２６に挿通させ、取付ピン１１４を用いて取付面１１２（図６参照）にねじ留めするだけで良い。したがって、実機を展示用として使用する際に、モーターを組立てるよりも停止位置保持装置１の組立の方が容易であり、生産性が高い。
【００２４】
なお、多角形部分１２は、この例では六角形の例を図示して説明したが、これに限られたものではなく、更に角数を増やしても良い。この場合、停止段階を更に細かくすることが可能となる。
【００２５】
また、図７に示すように、多角形部分１２を、円盤状の中央部の周囲に複数の凸部を放射状に延出させた形状としてもよい。
【００２６】
また、この実施の形態１では、停止位置保持装置１を、風向調整板１１０に適用する場合を例に説明したが、上述したように、室内機における他の可動部（例えば、図３の可動センサ１２０や可動パネル１３０）に対しても適用することができる。
【００２７】
なお、この実施の形態１では、弾性押圧部２２を板バネで形成した例を示したが、これに限られたものではなく、多角形部分１２を両側から押圧できる構成であれば他の弾性部材を用いてもよく、線バネや圧縮バネを使用するようにしてもよい。次の実施の形態２は、圧縮バネを用いた場合の例である。
【００２８】
実施の形態２．
図８は、この発明の実施の形態２の停止位置保持装置の構成を示す断面図である。図８において図１に示した実施の形態１と同一部分には、同一符号を付し、説明を省略する。
実施の形態２の停止位置保持装置３０は、実施の形態１の停止位置保持装置１の弾性押圧部２２を、圧縮バネ３４を用いて押圧する弾性押圧部３１に代えたものである。弾性押圧部３１は、相対向する一対の保持片３２ａと連結片３２ｂとで断面コ字状に形成された保持部３２と、一対の保持片３２ａのそれぞれに一端が固定され、他端に押圧部材３３が固定された一対の圧縮バネ３４とを備えて構成され、一対の圧縮バネ３４の弾性力により、多角形部分１２をその両側から押圧部材３３で押圧するようにしたものである。
【００２９】
このように構成することにより、実施の形態１と同様の作用効果が得られるとともに、一対の圧縮バネ３４を弾性力が異なる他の圧縮バネに変更することにより、軸部品１０に作用する回転規制力を変更することができる。ここで、風向調整板１１０の重さは、空気調和機の機種によって異なるため、風向調整板１１０の自重により風向調整板１１０の回転軸１１１に作用する回転力も違ってくる。このため、機種に合わせて回転規制力を調整する必要があり、この実施の形態２では、その回転規制力を、単に圧縮バネ３４を代えるだけで調整することが可能である。
【００３０】
実施の形態３．
上記実施の形態１及び実施の形態２では、多角形部分１２の相対向する平面部１２ａに対して両側から押圧力を加えるようにしていたが、この実施の形態３では、片側だけから押圧力を加えるようにしたものである。
【００３１】
図９は、この発明の実施の形態３の停止位置保持装置の斜視図、図１０は、図９を矢印ａ方向から見た図である。
停止位置保持装置４０は、可動部（例えば、風向調整板１１０）の軸部５１に取り付けられる軸部品５０と、軸部品５０の回転停止位置を段階的に保持するとともに、停止位置保持装置４０全体を室内機に取り付けるための取付保持部品６０とから構成されている。
【００３２】
軸部品５０は、軸部５１と、軸部５１の外周に一体的に設けられ、平面形状が多角形状を成す多角形部分５２とから構成されている。この軸部品５０は、軸部５１の一端が可動部の可動軸に取り付けられる接続部５１ａになっている。なお、多角形部分５２は、本例では十二角形で構成されているが、これに限られたものではない。また、接続部５１ａは、実機（室内機）で可動部に取り付けられるモーターの軸形状と同一形状に形成されている。
【００３３】
取付保持部品６０は、軸部品５０の軸部５１が挿通される挿通孔６３を有し、軸部５１を回転可能に支持する平面状の台座部６１と、台座部６１から延出して設けられ、軸部品５０の多角形部分５２の外周平面部１２ａをその外周平面部１２ａに垂直な一方向から弾性的に押圧するための弾性押圧部６２とを備え、単一の一体部品として形成されている。弾性押圧部６２は、その自由端側の押圧面６２ａで外周平面部１２ａを押圧しており、外周平面部１２ａが押圧面６２ａに対向する位置に位置した状態を、回転停止位置として保持する。また、台座部６１は、停止位置保持装置４０を室内機に取り付けるための取付ピン１１４（図６参照）が挿通される挿通孔６４を有している。
【００３４】
このように構成された停止位置保持装置４０の動作を説明する。
風向調整板１１０が例えば開いた状態から閉じる方向に手動で押し上げられるなどして、軸部品５０に対して回転する力が作用すると、軸部品５０の多角形部分５２も弾性押圧部６２の弾性力に抗って回転する。そして、多角形部分５２の複数の外周平面部１２ａが弾性押圧部６２の押圧面６２ａと対向する位置に位置すると、その位置が弾性押圧部６２によって回転停止位置として保持される。このように、多角形部分５２の複数の外周平面部１２ａの何れかが弾性押圧部６２の押圧面６２ａと対向する位置に位置する度に、その位置が回転停止位置として保持され、軸部品５０の回転停止位置を段階的に保持することが可能となっている。
【００３５】
このように、この実施の形態３によれば、風向調整板１１０の回転軸１１１に接続される軸部品５０の回転を、弾性押圧部６２によって弾性的に規制するようにしたので、風向調整板１１０が手動で回転移動された際に、その回転停止位置を弾性押圧部６２の弾性力によって保持することが可能である。また、弾性押圧部６２によって押圧される部品を多角形状としたので、回転停止位置を段階的に保持することが可能である。このように、風向調整板１１０を手動で直接操作して任意の位置に停止させることが可能となるため、実際の実機の運転時にどのような状態になるのかを提示できる。また、従来のように、風向調整板１１０を駆動させるための駆動モーターを不要とできるため、コスト削減が可能となる。
【００３６】
なお、風向調整板１１０の回転軸１１１には、風向調整板１１０の自重により風向調整板１１０の自由端側が下がる方向、すなわち、室内機の吹出口を開放する方向の回転力が作用している。よって、この自重による回転力によって停止位置保持装置１の軸部品５０が回転して吹出口を開放してしまうことのないように、弾性押圧部６２の押圧力が設定されており、その自重による回転を規制している。これにより、風向調整板１１０を確実に閉じた状態を保持することができ、見栄えの良い展示モデル用空気調和機を得ることができる。
【００３７】
また、軸部品５０は３６０度回転可能であるため、回転停止位置を任意に調整できる。
【００３８】
また、軸部品５０の接続部５１ａの形状を、実機で使用しているモーターの軸部と同一形状としているため、停止位置保持装置４０を使用するにあたり、実機として生産した空気調和機を、そのまま展示用として用いることができる。
【００３９】
また、停止位置保持装置４０を、実機で使用しているモーターの大きさに収まるように設計すれば、モーターの設置スペース部分に、停止位置保持装置１を取り付けることができる。
【００４０】
また、多角形部分５２を弾性的に支持する断面コ字状の弾性押圧部６２と、停止位置保持装置４０を室内機に取り付けるための取付部分（台座部６１）とが単一の一体部品として形成されているので、これらを別体で構成した場合に、これらをそれぞれ取り付けるために必要となる取付手段が不要であり、全体の小型化が可能である。また、これらを別体で構成する場合に比べて、停止位置保持装置４０の組立が簡単である。停止位置保持装置４０を室内機に取り付けるに際しては、単に軸部品５０の軸部５１を台座部６１の挿通孔６３に挿通させ、取付ピン１１４を用いて取付面１１２（図６参照）にねじ留めするだけで良い。したがって、実機を展示用として使用する際に、モーターを組立てるよりも停止位置保持装置４０の組立の方が容易であり、生産性が高い。
【００４１】
なお、多角形部分５２は、この例では十二角形の例を図示して説明したが、これに限られたものではなく、任意の角数とすることができる。
【００４２】
また、この実施の形態３では、停止位置保持装置４０を、風向調整板１１０に適用する場合を例に説明したが、上述したように、室内機における他の可動部（例えば、図３の可線センサ１２０や可動パネル１３０）に対しても適用することができる。
【００４３】
なお、この実施の形態３では、弾性押圧部６２を板バネで形成した例を示したが、これに限られたものではなく、多角形部分１２を片側から押圧できる構成であればよく、線バネや圧縮バネを使用するようにしてもよい。
【００４４】
また、実施の形態３の構造によれば、実施の形態１の構造に比べて装置全体を小型化することができ、コスト低減に効果がある。
【００４５】
実施の形態４．
図１１は、実施の形態４の停止位置保持装置の斜視図、図１２は、図１１の分解斜視図である。
実施の形態４の停止位置保持装置７０は、可動部（例えば、風向調整板１１０）の回転軸に取り付けられる軸部品８０と、軸部品８０の回転停止位置を段階的に保持する取付保持部品９０とから構成されている。
【００４６】
軸部品８０は、軸部８１と、軸部８１の一方の端部に設けられた頭部８２とから構成されており、頭部８２の軸部８１側の平面には、複数の係止部としての凸部８３が周状に間隔を空けて設けられている。
【００４７】
取付保持部品９０は、軸部品８０の軸部８１を回転可能に支持するための平面状の台座部９１を有しており、台座部９１には、軸部品８０の軸部８１が挿通可能な挿通孔（切欠部としても良く、図１２には切欠部とした場合を示している）９１ａが設けられている。また、取付保持部品９０は、挿通孔９１ａに軸部８１が挿通された状態の軸部品８０の頭部８２を、台座部９１側に押しつける方向に弾性的に押圧するための弾性押圧部（ここでは板バネで構成した例を示している）９２を有している。なお、台座部９１と弾性押圧部９２とは単一の一体部品として形成されている。台座部９１において、挿通孔９１ａの周囲には、軸部品８０の頭部８２の下面に設けた凸部８３と対応する位置に、その凸部８３が係合する係合部としての貫通孔９３が設けられている。なお、頭部８２に設けた凸部８３及び台座部９１に設けた貫通孔９３の数は適宜変更してもよい。
【００４８】
このように構成された停止位置保持装置７０の動作について説明する。
風向調整板１１０が例えば開いた状態から閉じる方向に手動で押し上げられるなどして、軸部品５０に対して回転する力が作用すると、凸部８３と貫通孔９３との係合が一旦外れて軸部品８０が弾性押圧部９２からの弾性力に抗って回転する。そして更に回転して凸部８３と貫通孔９３とが再び係合すると、その位置が回転停止位置として保持される。このように、凸部８３と貫通孔９３とが係合する度に、その位置が回転停止位置として保持され、軸部品８０の回転停止位置を段階的に保持することが可能となっている。
【００４９】
このように、この実施の形態４によれば、風向調整板１１０の回転軸１１１に接続される軸部品８０の回転を、凸部８３と貫通孔９３との係合と、弾性押圧部９２による弾性的な押圧によって規制するようにしたので、風向調整板１１０を手動で動作された際に、その回転停止位置を、前記係合によって保持することが可能である。しかも、係合部分を複数設けたことによって、回転停止位置を段階的に保持することが可能である。このように、風向調整板１１０を手動で直接操作して任意の位置に停止させることが可能となるため、実際の実機の運転時にどのような状態になるのかを提示できる。また、従来のように、風向調整板１１０を駆動させるための駆動モーターを不要とできるため、コスト削減が可能となる。
【００５０】
なお、風向調整板１１０の回転軸１１１には、風向調整板１１０の自重により風向調整板１１０の自由端側が下がる方向、すなわち、室内機の吹出口を開放する方向の回転力が作用している。よって、この自重による回転力によって停止位置保持装置７０の軸部品８０が回転して吹出口を開放してしまうことのないように、弾性押圧部９２の弾性力及び凸部８３と貫通孔９３との係合具合が設定され、その自重による回転を規制している。これにより、風向調整板１１０を確実に閉じた状態を保持することができ、見栄えの良い展示モデル用空気調和機を得ることができる。
【００５１】
また、軸部品８０は３６０度回転可能であるため、回転停止位置を任意に調整できる。
【００５２】
また、軸部品８０の接続部８１ａの形状を、実機で使用しているモーターの軸部と同一形状としているため、停止位置保持装置７０を使用するにあたり、実機として生産した空気調和機を、そのまま展示用として用いることができる。
【００５３】
また、停止位置保持装置７０を、実機で使用しているモーターの大きさに収まるように設計すれば、モーターの設置スペース部分に、停止位置保持装置７０を取り付けることができる。
【００５４】
また、弾性押圧部９２と、停止位置保持装置７０を室内機に取り付けるための取付部分（台座部９１）とが単一の一体部品として形成されているので、これらを別体で構成した場合に、これらをそれぞれ取り付けるために必要となる取付手段が不要であり、全体の小型化が可能である。また、これらを別体で構成する場合に比べて、停止位置保持装置７０の組立が簡単である。停止位置保持装置７０を室内機に取り付けるに際しては、単に軸部品８０の軸部８１を台座部９１の挿通孔９１ａに挿入して軸部品８０と取付保持部品９０とを取り付け、これを、取付ピン１１４を用いて取付面１１２（図６参照）にねじ留めするだけで良い。したがって、実機を展示用として使用する際に、モーターを組立てるよりも停止位置保持装置７０の組立の方が容易であり、生産性が高い。
【００５５】
また、実施の形態４の構造によれば、実施の形態１の構造に比べて簡単な構成且つ軸方向に省スペースな構造とすることができる。
【００５６】
なお、実施の形態４では、停止位置保持装置７０を、風向調整板１１０に適用する場合を例に説明したが、上述したように、室内機における他の可動部（例えば、図３の可動センサ１２０や可動パネル１３０）に対しても適用することができる。
【００５７】
また、この例では、凸部８３が係合される部分として、貫通孔９３を設けた例を示したが、図１３に示すように断面三角形状の溝９３ａを、溝同士が連続するように設けた構成としてもよいし、また、図１４のように断面長方形状の溝９３ｂを、溝間に間隔を空けて複数設けるようにしてもよい。これらの場合も同様の作用効果を得ることができる。なお、軸部品８０の頭部８２において台座部９１との接触面には、これらの溝に対応した形状の凸部を設けておくことはいうまでもない。なお、図１３及び図１４において、図１１と同一部分には同一符号を付している。
【００５８】
また、図１５に示すように、板バネに代えて、別体の圧縮バネとするようにしてもよい。この場合、弾性力が異なる他の圧縮バネに変更することにより、軸部品８０に作用する回転規制力を変更することができる。ここで、風向調整板１１０の重さは、空気調和機の機種によって異なるため、風向調整板１１０の自重により風向調整板１１０の回転軸１１１に作用する回転力も違ってくる。このため、機種に合わせて回転規制力を調整する必要があり、図１５に示すように圧縮バネを用いた構造とした場合には、単に圧縮バネを代えるだけで回転規制力を調整することが可能である。
【図面の簡単な説明】
【００５９】
【図１】この発明の実施の形態１における停止位置保持装置の斜視図である。
【図２】図１の多角形部分の平面図である。
【図３】軸部品の動作説明図（１／２）である。
【図４】軸部品の動作説明図（２／２）である。
【図５】図１の停止位置保持装置が適用される空気調和機の室内機の外観図である。
【図６】図１の停止位置保持装置の風向調整板への取付を示す取付分解斜視図である。
【図７】図１の多角形部分の他の例を示す図である。
【図８】この発明の実施の形態２の停止位置保持装置の構成を示す図である。
【図９】この発明の実施の形態３の停止位置保持装置の斜視図である。
【図１０】図９を矢印ａ方向から見た図である。
【図１１】この発明の実施の形態４の停止位置保持装置の斜視図である。
【図１２】図１１の分解斜視図である。
【図１３】台座部に設ける係合部の他の構成例を示す図である（１／２）。
【図１４】台座部に設ける係合部の他の構成例を示す図である（２／２）。
【図１５】この発明の実施の形態４の弾性押圧部の他の構成例を示す図である。
【符号の説明】
【００６０】
１  停止位置保持装置、１０  軸部品、１１  軸部、１１ａ  接続部、１２  多角形部分、１２ａ  外周平面部、１２ａ  平面部、１２ｂ  角部、１３  係止部、１３ａ  頭部、１４  溝部、２０  取付保持部品、２１  台座部、２２  弾性押圧部、２２ａ  保持片、２２ｂ  連結片、２３  連結部、２４  切欠部、２５  挿通孔、２６  貫通穴、３０  停止位置保持装置、３１  弾性押圧部、３２  保持部、３２ａ  保持片、３２ｂ  連結片、３３  押圧部材、３４  圧縮バネ、４０  停止位置保持装置、５０  軸部品、５１  軸部、５１ａ  接続部、５２  多角形部分、６０  取付保持部品、６１  台座部、６２  弾性押圧部、６２ａ  押圧面、６３  挿通孔、６４  挿通孔、７０  停止位置保持装置、８０  軸部品、８１  軸部、８１ａ  接続部、８２  頭部、８３  凸部、９０  取付保持部品、９１  台座部、９１ａ  挿通孔、９２  弾性押圧部、９３  貫通孔、９３ａ  溝、１００  室内機、１１０  風向調整板、１１１  回転軸、１１１ａ  凹部、１１２  取付面、１１３  貫通穴、１１４  取付ピン、１１５  取付凸部、１２０  可動センサ、１３０  可動パネル。
【図１】
2009041839.tif 000003
【図２】
2009041839.tif 000004
【図３】
2009041839.tif 000005
【図４】
2009041839.tif 000006
【図５】
2009041839.tif 000007
【図６】
2009041839.tif 000008
【図７】
2009041839.tif 000009
【図８】
2009041839.tif 000010
【図９】
2009041839.tif 000011
【図１０】
2009041839.tif 000012
【図１１】
2009041839.tif 000013
【図１２】
2009041839.tif 000014
【図１３】
2009041839.tif 000015
【図１４】
2009041839.tif 000016
【図１５】
2009041839.tif 000017